(57)【要約】【課題】一個の駆動モーターを用いて、旋回ギアと、結束線をねじり合わせる結束線ツイスター装置を共に駆動させることができ、かつ、新規の結束線フィーティング装置及び結束線カッティング装置を有する鉄筋自動結束機を提供する。【解決手段】作動レバーの動作で結束線が前方に前進し、旋回型結束線案内具に取り付けられた旋回ギアにより鉄筋を取り囲み、カッター刃により切断された結束線の両端部を結束ファンがねじり合わせる鉄筋自動結束機において、前方に鉄筋が取り付けられる所定の形状のケース１００と、前記ケース１００の後方に形成された円筒形のリールに結束線が巻き取られる結束線供給装置２００と、前記結束線供給装置２００から供給された結束線を作動レバー１１０の動作によって捕まった状態で前方へ移動することで該結束線を前進させ、第１スイッチ１３０を作動させる結束線フィーティング装置３００と、前記結束線フィーティング装置３００により前進した結束線が旋回ギア４２０に装着され、第１スイッチ１３０の作動により駆動モーター１２０が回転し旋回ギア４２０を鉄筋の周りに旋回させて鉄筋を取り囲む旋回型結束線案内装置４００と、前記旋回型結束線案内装置４００の旋回ギア４２０によって第２スイッチ１４０が作動して駆動モーター１２０を逆回転させることで、鉄筋に巻きついている結束線を切断する結束線カッティング装置５００と、前記結束線カッティング装置５００により切断された結束線の両端をねじり合わせるように前記駆動モーター１２０から発生した回転力により、ツイスター軸６３０の一端に形成されたツイスター６４０が結束線をねじり合わせる結束線ツイスター装置６００と、を含んで構成される鉄筋自動結束機を提供する。これによれば、一個の駆動モーターを用いて、旋回ギアと、結束線をねじり合う結束線ツイスター装置を駆動させられるので、自動結束機の重さを減らし、結束線フィーティング装置及び結束線カッティング装置はより正確な作動ができ、工事現場における足場作業をより迅速で確実にすることができる。その結果、建設現場での工事費の画期的な節減が図られる。【選択図】図１
2007520395.tif 000002
【特許請求の範囲】
【請求項１】
作動レバーの動作で結束線が前方に前進し、旋回型結束線案内具に取り付けられた旋回ギアにより鉄筋を取り囲み、カッター刃により切断された結束線の両端部を結束ファンがねじり合わせる鉄筋自動結束機であって、
前方に鉄筋が取り付けられる所定の形状のケース１００と、
前記ケース１００の後方に形成された円筒形のリールに結束線が巻き取られる結束線供給装置２００と、
前記結束線供給装置２００から供給された結束線を作動レバー１１０の動作によって捕まった状態で前方へ移動することで該結束線を前進させ、第１スイッチ１３０を作動させる結束線フィーティング装置３００と、
前記結束線フィーティング装置３００により前進した結束線が旋回ギア４２０に装着され、第１スイッチ１３０の作動により駆動モーター１２０が回転し旋回ギア４２０を鉄筋の周りに旋回させて鉄筋を取り囲む旋回型結束線案内装置４００と、
前記旋回型結束線案内装置４００の旋回ギア４２０によって第２スイッチ１４０が作動して駆動モーター１２０を逆回転させることで、鉄筋に巻きついている結束線を切断する結束線カッティング装置５００と、
前記結束線カッティング装置５００により切断された結束線の両端をねじり合わせるように前記駆動モーター１２０から発生した回転力により、ツイスター軸６３０の一端に形成されたツイスター６４０が結束線をねじり合わせる結束線ツイスター装置６００と、
を備えて構成されることを特徴とする鉄筋自動結束機。
【請求項２】
前記結束線フィーティング装置３００は、前記作動レバー１１０が後退すると、フィーディングヒンジ３４０に固定されて回動し、一側は作動レバー１１０にヒンジ固定され、他側はフィーディング機３５０にヒンジ固定されたフィーディング軸３３０によってフィーディング機３５０が前進するように構成されたことを特徴とする、請求項１に記載の鉄筋自動結束機。
【請求項３】
前記フィーディング機３５０は、前記結束線供給装置２００から引き出された結束線が挿入されこれを前方まで案内する挿入穴３５４が形成され、前記挿入穴３５４の一定領域が露出され、フィーディング針３５１がスプリング３５２の反発力により結束線を加圧させるようにヒンジ固定されることを特徴とする、請求項１または２に記載の鉄筋自動結束機。
【請求項４】
前記旋回型結束線案内装置４００は、
駆動モーター１２０の軸に形成された原動ベベルギア４６０と噛み合って動力を伝達する被動ベベルギア４５０と、
前記被動ベベルギア４５０と一体に形成されたタイミング原動ギア４５１と、
前記タイミング原動ギア４５１の回転力を伝達するタイミングベルト４４０が装着され、線形ギア４２０の隣接領域に設置された第１及び第２タイミングギア４３１と、
前記第１及び第２タイミングギア４３１と一体に形成された第１及び第２ピニオン４３２と、から構成され、
前記旋回型結束線案内装置４００は、鉄筋を取り付ける鉄筋案内具４１０が形成された旋回ギア４２０を回転させることを特徴とする、請求項１に記載の鉄筋自動結束機。
【請求項５】
旋回ギア４２０は、一側面に、旋回ギア４２０回転時に、結束線カッティング装置５００と隣接した領域へ結束線が離脱するのを防止するように形成されたスロット４２１と、前記スロットに装着された結束線を捕まえる結束線保持突起４２２とを有することを特徴とする、請求項１または４に記載の鉄筋自動結束機。
【請求項６】
結束線保持突起４２２が設置された旋回ギア４２０の裏面に、第２スイッチを作動させる突出面４２３が形成されたことを特徴とする、請求項１、４及び５のいずれか一項に記載の鉄筋自動結束機。
【請求項７】
前記結束線カッティング装置５００は、
結束線フィーティング装置３００から引き出された結束線の進行方向の延長線上に設置された引出し管５１５に隣接した領域に設置されたカッター５２０と、
前記カッター５２０を回転させる回転軸５０１が設置され、前記引出し管５１５と一体に形成された支持台５１７と、
前記支持台５１７に固定され回転軸５０１を支持するワンウェイクラッチベアリング５１９と、
前記回転軸５０１のカッター５２０の他側に設置されて、カッター５２０を元に戻すトーションスプリング５６０と、
から構成されたことを特徴とする、請求項１に記載の鉄筋自動結束機。
【請求項８】
前記結束線カッティング装置５００は、ツイスター軸６３０に設置され、係止ピン６３１により一定の隙間を持つ杵５０４がカッター５２０の刃を打って結束線を切断するように、駆動モーター１２０の駆動軸に設置された原動ベベルギア４６０に近接して前記原動ベベルギア４６０の回転方向と反対方向に回転するようにワンウェイクラッチベアリング４６４が設置されたツイスター原動ギア４６３が、ツイスター軸６３０の末端に設置されたツイスター被動ギア６３２と連動することを特徴とする、請求項１または７に記載の鉄筋自動結束機。
【請求項９】
前記支持台５１７の回転軸５０１を支持するワンウェイクラッチベアリング５１９に外嵌されたカム５５０と、
前記カム５５０を案内するために一定の傾斜が形成された復帰ガイド５４０と、
前記復帰ガイド５４０が取り付けられ、作動レバー１１０につながるストッパー５３０と、
前記ストッパー５３０を作動レバー１１０の移動方向に引くようにストッパー５３０に形成された係止棒５９０と、
一端が前記係止棒５９０にかかるようにフック５８１に形成され、他端は突出部５８２に形成され、フック５８１と突出部５８２との中心にヒンジ固定され、フック５８１の底面に圧縮スプリング５８３がフック５８１の垂れ下がりを防止するように設置される掛け金５８０と、をさらに備え、
前記掛け金５８０が一定距離以上作動レバー１１０に沿って移動すると、突出部５８２がケース１００に固定されたフック脱落棒１０３にかかることでフック５８１が回動し係止棒５９０から外れることを特徴とする、請求項１または７に記載の鉄筋自動結束機。
【発明の詳細な説明】
【技術分野】
【０００１】
本発明は、建築工事や土木工事で使われる鉄筋と鉄筋とを互いに緊結するのに用いられる針金結び作業が自動でなされるようにした鉄筋自動結束機に関する。
【背景技術】
【０００２】
従来、工事現場において、コンクリート打設作業の前に、鉄筋と鉄筋との結束を強固にするために針金で鉄筋と鉄筋とを結んできた(足場作業)。かかる作業のためには、熟練した別の技術者が、結束用フックを用いて鉄筋と鉄筋とが交差する部分に針金を巻き付けた後、この針金の両端を結束用フックでねじり合わせていた。
【０００３】
しかしながら、このような作業は、時として地上から高い所で行われたり、作業者の熟練度によって鉄筋と鉄筋との結束が左右されたりするため、他の工程作業者に比べて格段高い労賃を支払わねばならなく、よって、工事費の上昇及び作業者の墜落などの産業災害につながることがあった。
【０００４】
したがって、このような作業を迅速に且つ別の技術なしにも行えるよう、本出願人は、「自動鉄筋結束機及びこれに用いられる結束線」を開示したことがある（例えば、特許文献１）。
【０００５】
この「自動鉄筋結束機」は、大きく、鉄筋が挿入される挿入溝を持つケースと、該ケースの一側に設置され、結束線が保管される結束線収納手段と、前記ケースの一側に設置され、前記結束線を前方に引き出す結束線フィーディング手段と、前記ケースの先端部に設置され、旋回しながら前記フィーディング手段から供給される結束線が鉄筋の周囲を取り囲むように案内する旋回型結束線案内具とから構成される。
【０００６】
また、旋回型結束線案内具の一側後部に近接して設置され、旋回型結束線案内具により案内されて鉄筋に巻きついてある結束線をねじり合わせるように、回転軸に連結された複数枚の羽根を有する結束ファンが設置され、この結束ファンの回転により結束線の両端がねじり合う。
【０００７】
また、鉄筋に巻きついてある結束線を切断するためには、作動ボタンを押下し電源スイッチを作動させて電源を印加し、これにより、旋回ギアが回転しつつ立設している切断刃が作動させることになる。
【０００８】
このような構成を有する従来の鉄筋自動結束機は、動力を提供する独立した２個の駆動モーターにより作動することになる。その一つの駆動モーターは、旋回ギアを回転させて鉄筋に結束線が巻きつくようにし、残り一つの駆動モーターは、可撓性軸に連結され、切断された結束線がねじり合うようにする。
【０００９】
かかる可撓性軸は、直進性が保障されない動力伝達に使われるもので、動力が軸の軸の末端にまで伝えられるが、騒音発生が大きい。さらに、過大な振動が生じ、部品間の摩擦による破損率が高くなる。なお、軸の末端に及ぶモーメントが低下するから、結束線のねじられる力が弱くなり、鉄筋の堅結が不可能になる。
【００１０】
しかも、複数の駆動モーターの存在により結束機の自重が増え、これは、作業者の作業疲労の加重及びそれによる作業能率の低下につながるという問題があった。
【００１１】
なお、結束線フィーティング装置は、作動ボタンにより水平に移動するラックと、該ラックにより回転するピニオンとの組み合わせからなり、結束線リードタップにより結束線が前方に引き出される構成とされる。
【００１２】
このような結束線リードタップによる結束線の前方引出しは、巻きついてある結束線の撓みによる離脱現象から、旋回ギアの末端まで正確に導かれず、時としては前方引出しされた結束線が、作動ボタンの戻りによってリードタップに捕まって再び後退することもあった。
【００１３】
【特許文献１】韓国特許出願第２００２−００３２６１４号公報
【発明の開示】
【発明が解決しようとする課題】
【００１４】
本発明は、上記の問題点を解決するためのもので、その目的は、一個の駆動モーターを用いて、旋回ギアと、結束線をねじり合わせる結束線ツイスター装置を共に駆動させることができ、かつ、新規の結束線フィーティング装置及び結束線カッティング装置を有する鉄筋自動結束機を提供することにある。
【課題を解決するための手段】
【００１５】
上記目的を達成するための本発明は、前方に鉄筋が取り付けられる所定の形状のケースと、前記ケースの後方に形成された円筒形のリールに結束線が巻き取られる結束線供給装置と、前記結束線供給装置から供給された結束線を作動レバーの動作によって捕まった状態で前方へ移動することで該結束線を前進させ、第１スイッチを作動させる結束線フィーティング装置と、前記結束線フィーティング装置により前進した結束線が旋回ギアに装着され、第１スイッチの作動により駆動モーターが回転し旋回ギアを鉄筋の周りに旋回させて鉄筋を取り囲む旋回型結束線案内装置と、前記旋回型結束線案内装置の旋回ギアによって第２スイッチが作動して駆動モーターを逆回転させることで、鉄筋に巻きついている結束線を切断する結束線カッティング装置と、前記結束線カッティング装置により切断された結束線の両端をねじり合わせるように前記駆動モーターから発生した回転力により、ツイスター軸の一端に形成されたツイスターが結束線をねじり合わせる結束線ツイスター装置と、を備えて構成される鉄筋自動結束機とした。
【００１６】
前記結束線フィーティング装置は、前記作動レバーが後退すると、フィーディングヒンジに固定されて回動し、一側は作動レバーにヒンジ固定され、他側はフィーディング機にヒンジ固定されたフィーディング軸によってフィーディング機が前進するように構成されると好ましい。
【００１７】
前記フィーディング機は、前記結束線供給装置から引き出された結束線が挿入されこれを前方まで案内する挿入穴が形成され、前記挿入穴の一定領域が露出され、フィーディング針がスプリングの反発力により結束線を加圧させるようにヒンジ固定されることが好ましい。
【００１８】
前記旋回型結束線案内装置は、駆動モーターの軸に形成された原動ベベルギアと噛み合って動力を伝達する被動ベベルギアと、前記被動ベベルギアと一体に形成されたタイミング原動ギアと、前記タイミング原動ギアの回転力を伝達するタイミングベルトが装着され、線形ギアの隣接領域にそれぞれ設置された第１及び第２タイミングギアと、前記第１及び第２タイミングギアとそれぞれ一体に形成された第１及び第２ピニオンと、から構成され、鉄筋を取り付ける鉄筋案内具の形成された旋回ギアを回転させるように構成すると好ましい。
【００１９】
好ましくは、前記旋回ギアは、一側面に、旋回ギアの回転時に、結束線カッティング装置と隣接した領域へ結束線が離脱するのを防止するように形成されたスロットと、前記スロットに装着された結束線を捕まえる結束線保持突起とを有する。
【００２０】
また、結束線保持突起が設置された旋回ギアの裏面に、第２スイッチを作動させる突出面が形成されたことが好ましい。
【００２１】
前記結束線カッティング装置は、結束線フィーティング装置から引き出された結束線の進行方向の延長線上に設置された引出し管に隣接した領域に設置されたカッターと、前記カッターを回転させる回転軸が設置され、前記引出し管と一体に形成された支持台と、前記支持台に固定され回転軸を支持するワンウェイクラッチベアリングと、前記回転軸のカッターの他側に設置されて、カッターを元に戻すトーションスプリングと、から構成されることが好ましい。
【００２２】
前記結束線カッティング装置は、ツイスター軸に設置され、係止ピンにより一定の隙間を持つ杵がカッターの刃を打って結束線を切断するように、駆動モーターの駆動軸に設置された原動ベベルギアに近接して前記原動ベベルギアの回転方向と反対方向に回転するようにワンウェイクラッチベアリングが設置されたツイスター原動ギアが、ツイスター軸の末端に設置されたツイスター被動ギアと連動するように構成されることが好ましい。
【００２３】
なお、前記鉄筋自動結束機は、前記支持台の回転軸を支持するワンウェイクラッチベアリングに外嵌されたカムと、前記カムを案内するために一定の傾斜が形成された復帰ガイドと、前記復帰ガイドが取り付けられ、作動レバーにつながるストッパーと、前記ストッパーを作動レバーの移動方向に引くようにストッパーに形成された係止棒と、一端が前記係止棒にかかるようにフックに形成され、他端は突出部に形成され、フックと突出部との中心にヒンジ固定され、フックの底面に圧縮スプリングがフックの垂れ下がりを防止するように設置される掛け金と、をさらに備えてなり、前記掛け金が一定距離以上作動レバーに沿って移動すると、突出部がケースに固定されたフック脱落棒にかかることでフックが回動し係止棒から外れるように構成されることが好ましい。
【発明の効果】
【００２４】
一個の駆動モーターを用いて、旋回ギアと、結束線をねじり合わせる結束線ツイスター装置とを駆動させるようになっているため、自動結束機の重さが軽減され、かつ、結束線フィーティング装置と、結束線カッティング装置がより正確に作動するようになっているため、工事現場においてより迅速で確実に足場作業ができ、結果として工事費の画期的な節減が図られる極めて有用な発明である。
【発明を実施するための最良の形態】
【００２５】
以下、本発明の鉄筋自動結束機に係る好適な実施形態について、添付の図面を参照しつつ詳細に説明するが、下記の具体的な実施形態は、本発明のより明瞭な理解を助けるために例示されるもので、本発明を制限するためのものでない。
【００２６】
なお、図面中、同一の構成要素には同一の参照符号または番号を付し、以下の説明では、本発明の要旨を曖昧にする恐れのある公知の特徴部乃至要素についてはその説明を省略するものとする。
【００２７】
図１は、本発明による鉄筋自動結束機の全体構成を示す断面図である。同図において、鉄筋自動結束機は、大きく、ケース１００、結束線供給装置２００、結束線フィーティング装置３００、旋回型結束線案内装置４００、結束線カッティング装置５００、結束線ツイスター装置６００とから構成される。
【００２８】
まず、ケース１００は、所定の拳銃形状を有し、取っ手１０２の下端には駆動モーターへの電源供給のために電源部１０４が設置される。該電源部には、通常の電動工具用の電源が使用される。
【００２９】
結束線供給装置２００は、図面上、中心から右側に配置される。この結束線供給装置２００は、結束線が巻き取られる略円筒形状のリールからなるもので、この巻き取られている結束線が円滑に解けて供給され、かつ、供給されている結束線がリールの逆回転により後退しないように、該リールの中心にワンウェイクラッチベアリングがヒンジ結合される。
【００３０】
結束線フィーティング装置３００は、取っ手１０２と結束線供給装置２００とが交差する部分に設置される。
【００３１】
旋回型結束線案内装置４００は、図面上、中心から左側に設置される。すなわち、旋回型結束線案内装置４００は、本発明の前面に該当するもので、鉄筋が旋回ギア４２０の内側に位置するように旋回ギア４２０の一部が開口されてなる鉄筋案内具４１０が形成される。このように鉄筋案内具４１０の形成された旋回ギア４２０の内部に結束すべき鉄筋が置かれると、旋回ギア４２０が結束線を捕まえた状態で鉄筋を中心に回転するようになる。
【００３２】
結束線カッティング装置５００は、旋回型結束線案内装置４００の後方に配置されるもので、鉄筋に結束線が巻きついた後に該結束線を切断する。
【００３３】
結束線ツイスター装置６００は、鉄筋に巻きついた結束線をねじり合わせる装置で、結束線カッティング装置５００により結束線が切断された後に作動する。
【００３４】
図２は図１に示す鉄筋自動結束機の全体斜視図で、図３は、全体分解斜視図である。
まず、これら図面を参照し、結束線案内装置４００及び結束線ツイスター装置６００を駆動させる駆動モーター１２０を中心に説明する。
【００３５】
ケース１００に固定される所定形状のメインブラケット１７０上に、駆動モーター１２０の軸に取り付けられた原動ベベルギア４６０と噛み合って動力を伝達する被動ベベルギア４５０が設置される。
【００３６】
また、前記被動ベベルギア４５０と一体に形成されたタイミング原動ギア４５１が設置され、該タイミング原動ギア４５１の回転力を伝達するタイミングベルト４４０が装着され、また、旋回ギア４２０と隣接してそれぞれ設置された第１及び第２タイミングギア４３１が設置される。
【００３７】
そして、旋回型結束線案内装置４００は、第１及び第２タイミングギア４３１とそれぞれ一体に形成された第１及び第２ピニオン４３２により、鉄筋が内部に位置するように鉄筋案内具４１０が形成された旋回ギア４２０を回転させるように構成される。
【００３８】
ここで、旋回ギア４２０は、図４に示すように、一側面に結束線カッティング装置５００と隣接した領域に旋回ギア４２０の回転時に結束線の離脱を防止するスロット４２１を有し、結束線をガイドする。そして、スロット４２１内に、結束線が装着される結束線保持突起４２２が形成され、旋回ギア４２０の回転時に、結束線がスロット４２１と保持突起４２２との間に介在された状態で旋回ギア４２０の回転に沿って鉄筋に巻きつくようになる。
【００３９】
図５は、図１に示す結束線フィーティング装置の部分拡大断面図である。同図において、結束線フィーティング装置３００は、所定の引き金状の作動レバー１１０がケース１００の外部に露出して設置される。この作動レバー１１０は復帰可能なように、弾性力を持つ第１ばね１６２が図示のように設置される。
【００４０】
このような作動レバー１１０は、フィーディングヒンジ３４０に固定され、一側は作動レバー１１０にヒンジ固定され、他側はフィーディング機３５０にヒンジ固定されているフィーディング軸３３０によりフィーディング機３５０を前面に前進させるような構成となっている。
【００４１】
このような構成について、取っ手ブラケットへの結束線フィーティング装置の装着を示す図６の斜視図に基づいてより詳しく説明する。取っ手ブラケット１６０は、ケース１００の取っ手１０２に設置される。この取っ手ブラケット１６０には、作動レバー１１０の移動をガイドする作動レバーガイドハウジング１６１が固定され、該作動レバーガイドハウジング１６１の内部には第１ばね１６２が設けられる。そして、作動レバー１１０はフィーディング軸３３０の一側にヒンジ固定される。第１ばね１６２は、作動レバー１１０が後退した後に元の状態に戻るように弾性力を与えるものである。
【００４２】
そして、フィーディング軸３３０の一定領域がフィーディングヒンジ３４０によって取っ手ブラケット１６０とヒンジ固定され、フィーディング軸３３０の他側はフィーディング機にヒンジ固定される。このような構造により、作動レバー１１０が後退すると、一側が該作動レバー１１０にヒンジ固定されており、フィーディングヒンジ３４０により取っ手ブラケット１６０に回動自在に固定されたフィーディング軸３３０の他側が、作動レバー１１０の後退方向と反対の方向に移動、すなわち前進し、これと同時に、フィーディング軸３３０の他側にヒンジ固定されているフィーディング機３５０も前進するようになる。
【００４３】
図７は、フィーディング機３５０の分解斜視図である。フィーディング軸３３０の他側がヒンジ固定されたフィーディング機３５０は、取っ手ブラケット１６０上で移動するもので、結束線供給装置２００から引き出された結束線が挿入されこれを前方まで導く挿入穴３５４が形成される。この挿入穴３５４の一定領域が露出され、この領域を介してフィーディング針３５１がスプリング３５２の反発力により結束線を付勢するようにヒンジ固定される。
【００４４】
このような構成は、結束線フィーティング装置３００が前進する際に結束線を捕まえて前に移動するようにしたものである。また、フィーディング機３５０の一側には、フィーディング機３５０が前進しながら駆動モーター１２０を作動させる第１スイッチ接点面３５５が形成される。
【００４５】
図８は、結束線カッティング装置の結合状態を示す斜視図であり、図９は、図８の分解斜視図である。図示の如く、結束線フィーティング装置３００から引き出された結束線の進行方向の延長線上に設置された引出し管５１５に隣接した領域に、結束線カッティング装置５００が配設される。
【００４６】
結束線カッティング装置５００は、より詳しく説明すると、カッター５２０を回転させる回転軸５０１が設置され、引出し管５１５と一体に形成された支持台５１７がメインブラケット１７０にしっかり固定されるように構成される。
【００４７】
また、支持台５１７に固定されて回転軸５０１を支持するワンウェイクラッチベアリング５１９と、回転軸５０１においてカッター５２０の対向側に設置されたトーションスプリング５６０とにより、カッター５２０が元に戻る構成となっている。これにより、結束線が引出し管５１５に沿って前進しカッター５２０に近接して位置するようになる。
【００４８】
図１０は、ストッパーを示す斜視図である。前記作動レバー１１０につながるストッパー５３０は、メインブラケット１７０上においてストッパー５３０に形成された長穴を介してピン締結されガイドされる。そして、リターンスプリング５３３がストッパー５３０とケース１００との間に設けられる。また、ストッパー５３０には、結束線カッティング装置５００の支持台５１７の回転軸５０１を支持するワンウェイクラッチベアリング５１９に外嵌されたカム５５０と連係して該カム５５０を案内するために一定の傾斜が形成された復帰ガイド５４０がねじ結合されている。
【００４９】
そして、ストッパー５３０を作動レバー１１０の移動方向に引くようにストッパー５３０に係止棒５９０が形成される。また、一端が係止棒５９０にかかるようにフック５８１として形成され、他端は突出部５８２として形成され、フック５８１と突出部５８２との中心にヒンジ固定され、また、フック５８１の底面には、フック５８１の垂れ下がりを防止するように圧縮スプリング５８３が設けられた掛け金５８０が備えられる。
【００５０】
したがって、また、掛け金５８０が一定距離以上作動レバー１１０と共に移動すれば、突出部５８２が、ケース１００に固定されたフック脱落棒１０３にかかり、これによりフック５８１は回動して係止棒５９０から外される。
【００５１】
次に、以上のような構成を持つ結束線供給装置２００、結束線フィーティング装置３００、旋回型結束線案内装置４００、結束線カッティング装置５００、結束線ツイスター装置６００による鉄筋自動結束機の作動について説明する。
【００５２】
鉄筋案内具４１０の形成された旋回ギア４２０の内側に鉄筋が位置すると、作業者は、鉄筋を結束するために作動レバー１１０を後退させる。すると、作動レバー１１０に一側がヒンジ固定されたフィーディング軸３３０の他側が、フィーディングヒンジ３４０を中心にして前進することになる。
【００５３】
このときに、作動レバー１１０にヒンジ固定された掛け金５８０は、ストッパー５３０の係止棒５９０に係止された状態でストッパー５３０を後退させる。また、ストッパー５３０の後退に応じて復帰ガイド５４０に沿って結束線カッティング装置５００のカム５５０を一定区間回動させ、この回動により回動軸５０１が回動することになる。しかし、カム５５０と回動軸５０１は、ワンウェイクラッチベアリング５１９が設置されているために何らの影響も与えない。
【００５４】
そして、フィーディング軸３３０の他側が前進するにつれて、これにヒンジ固定されたフィーディング機３５０も前進することになる。このときに、フィーディング機３５０のフィーディング針３５１は結束線を捕まえて前進する。また、フィーディング機３５０の一側に形成された第１スイッチ接点面３５５が第１スイッチ１３０を作動させるようになる。
【００５５】
これにより、駆動モーター１２０が回転し始まり、駆動軸１２１に設置された原動ベベルギア４６０が回転する。該原動ベベルギア４６０は続いて被動ベベルギア４５０に回転力を伝達し、被動ベベルギア４５０と一体に形成されたタイミング原動ギア４５１が回転される。続いて、このタイミング原動ギア４５１はタイミングベルト４４０でつながっている第１及び第２タイミングギア４３１を回転させる。
【００５６】
これにより、第１及び第２タイミングギア４３１と一体にそれぞれ形成された第１及び第２ピニオン４３２が、旋回ギア４２０を回転させる。そして、フィーディング機３５０のフィーディング針３５１に捕まって旋回ギア４２０のスロット４２１まで前進した結束線は、結束線保持突起４２２に保持されつつ旋回ギア４２０に沿って鉄筋の周りに巻きつけられる。旋回ギア４２０が回転して原位置に戻ると、旋回ギア４２０の裏面に形成された突出面４２３が第２スイッチ接点片をタッチする。この２スイッチ接点片は、回動自在にヒンジ固定されて第２スイッチ１４０を作動させる機能を担う。
【００５７】
第２スイッチ１４０の作動により、駆動モーター１２０は正回転から逆回転に変り、ワンウェイクラッチベアリング４６４で締付けられたツイスター原動ギア４６３が回転することになる。この際にツイスター原動ギア４６３が回転しても、ワンウェイクラッチベアリング４６４により原動ベベルギア４６０には何らの影響を与えないので、事実上駆動モーター１２０の逆回転が始まると結束線は鉄筋に巻きついてある状態となる。
【００５８】
ツイスター原動ギア４６３が回転し、結束線ツイスター装置６００のツイスター被動ギア６３２が回転すると、これと共にツイスター軸６３０も回転し、該ツイスター軸６３０の末端に在るツイスター６４０を回転させることになる。
【００５９】
このツイスター６４０は、複数の羽根が形成されており、これら羽根のうち一箇所にフィーディング機３５０から供給された結束線が堅着され、旋回ギア４２０の回転によって鉄筋の周りに巻きついた結束線が再びツイスター６４０のいずれかの羽根に堅着されてツイスター６４０の回転により結束線がねじられる。
【００６０】
そして、ツイスター６４０の回転により結束線がねじり合う動作と同時に結束線の切断がなされる。このような結束線の切断は、ツイスター軸６３０の回転時に係止ピン６３１により一定の隙間を持つツイスター軸６３０上に設けられた杵５０４を回転させ、杵５０４は回転しつつカッター５２０を打ち結束線が切断されるようにするのである。
【００６１】
以降、作動レバー１１０が最終後退すると、ケース１００に形成された脱落棒１０２が、作動レバー１１０にヒンジ固定された掛け金５８０の突出部５８２と衝突し、回動作用により、ストッパー５３０に形成された係止棒５９０から掛け金５８０のフック５８１が外される。これにより、ストッパー５３０はリターンスプリング５３３により元の位置に戻り、また、ストッパー５３０に設けられた復帰ガイド５４０がカム５５０から解放されるため、支持台５１７とカム５５０との間に介在されたトーションスプリング５６０の弾性力により、カム５５０と回転軸５０１との間に設置されたワンウェイクラッチベアリング５１９により引出し管５１５を塞がないように、回転軸５０１の末端に設置されたカッター５２０が一定区間回動する。
【００６２】
以上の如く、本発明による鉄筋自動結束機は、一個の駆動モーターを用いて、旋回ギアと、結束線をねじり合わせる結束線ツイスター装置とを駆動させるようになっているため、自動結束機の重さが軽減され、かつ、結束線フィーティング装置と、結束線カッティング装置がより正確に作動するようになっているため、工事現場においてより迅速で確実に足場作業ができ、結果として工事費の画期的な節減が図られる極めて有用な発明である。
【００６３】
一方、以上では具体例に挙げて本発明を説明してきたが、本発明は、これら具体例に限定されず、本発明の要旨を逸脱しない範囲内で種々の修正及び変形が可能であり、もちろん、かかる修正及び変形が加えられた技術思想も添付の特許請求の範囲に属するものと理解されるべきである。
【図面の簡単な説明】
【００６４】
【図１】本発明による鉄筋自動結束機の全体構成を示す断面図である。
【図２】本発明による鉄筋自動結束機の全体斜視図である。
【図３】本発明による鉄筋自動結束機の全体分解斜視図である。
【図４】本発明による旋回ギアを示す正面図である。
【図５】本発明による結束線フィーティング装置を示す図１の部分拡大図である。
【図６】本発明による取っ手ブラケットへの結束線フィーティング装置の装着を示す斜視図である。
【図７】本発明によるフィーディング機の分解斜視図である。
【図８】本発明による結束線カッティング装置の斜視図である。
【図９】本発明による結束線カッティング装置の分解斜視図である。
【図１０】本発明によるストッパーを示す斜視図である。
【符号の説明】
【００６５】
１００    ケース
１１０    作動レバー
１２０    駆動モーター
１６０    取っ手ブラケット
１７０    メインブラケット
２００    結束線供給装置
３００    結束線フィーティング装置
３３０    フィーディング軸
３４０    フィーディングヒンジ
３５０    フィーディング機
３５１    フィーディング針
３５４    結束線挿入穴
４００    旋回型結束線案内装置
４１０    鉄筋案内具
４２０    旋回ギア
４２１    スロット
４２２    結束線保持突起
４２３    突出面
４３１    第１及び第２タイミングギア
４３２    第１及び第２ピニオン
４４０    タイミングベルト
４５０    被動ベベルギア
４５１    タイミング原動ギア
４６０    原動ベベルギア
５００    結束線カッティング装置
５０４    杵
５１５    引出し管
５１７    支持台
５２０    カッター
５６０    トーションスプリング
５８０    掛け金
５９０    係止棒
６００    結束線ツイスター装置
６３０    ツイスター軸
６３１    係止ピン
６３２    ツイスター被動ギア
【図１】
2007520395.tif 000003
【図２】
2007520395.tif 000004
【図３】
2007520395.tif 000005
【図４】
2007520395.tif 000006
【図５】
2007520395.tif 000007
【図６】
2007520395.tif 000008
【図７】
2007520395.tif 000009
【図８】
2007520395.tif 000010
【図９】
2007520395.tif 000011
【図１０】
2007520395.tif 000012
【国際調査報告】
2007520395.tif 000013
2007520395.tif 000014